(57)【特許請求の範囲】
【請求項１】
基地局と、少なくとも２台の送受器とを有し、
上記基地局はプロセッサ組立体と実行プログラムを格納するメモリとランダムアクセスメモリとを有し、上記送受器はメニューを表示するディスプレイとプロセッサ組立体と少なくとも一つのサービスを変更する制御手段とをそれぞれ有する、コードレス電話方式装置において、
上記少なくとも２台の送受器のうち１台は、上記メニューの言語の変更を上記基地局に送信する送信手段を有し、
上記基地局は、上記メニューの上記言語の変更を上記少なくとも２台の送受器のうち上記１台から受信する受信手段と、上記メニューの上記言語の変更を上記少なくとも２台の送受器のうち他の送受器に送信する送信手段とを更に有し、上記プロセッサ組立体と、上記実行プログラムを格納する上記メモリと、上記ランダムアクセスメモリとは、上記受信手段と上記送信手段とを管理するように適合され、上記言語の変更は、上記他の送受器で実行されることを特徴とするコードレス電話方式装置。
【請求項２】
上記基地局及び上記少なくとも２台の送受器は、上記メニューの上記言語の変更を受信したとき受信情報承認信号を生成する手段を有することを特徴とする請求項１記載のコードレス電話方式装置。
【請求項３】
ＤＥＣＴ規格に準拠することを特徴とする請求項１又は２記載のコードレス電話方式装置。
【請求項４】
基地局と少なくとも２台の送受器とを有するコードレス電話方式装置で実行され得るサービスを変更する方法において、
上記少なくとも２台の送受器と上記基地局との間にリンクが確立され、
上記少なくとも２台の送受器のうち１台は、メニューの言語の変更を上記基地局に送信するように適合され、
上記基地局は、上記メニューの上記言語の変更を上記少なくとも２台の送受器のうち上記１台から受信し、上記メニューの上記言語の変更を上記少なくとも２台の送受器のうち他の送受器に送信するように適合され、上記言語の変更は、上記他の送受器で実行されることを特徴とする方法。
【請求項５】
関連した上記基地局及び上記少なくとも２台の送受器は、上記メニューの上記受信された言語の変更の受信承認を送信することを特徴とする請求項４記載の方法。
【発明の詳細な説明】
【０００１】
【発明の属する技術分野】
本発明は、基地局と、少なくとも１台の送受器と、上記基地局と上記送受器との間でメッセージを伝達する伝達手段とからなる要素により構成された電話方式装置において、上記基地局は、プロセッサ組立体と例外プログラムを格納するメモリとランダムアクセスメモリとを有し、上記送受器は、ディスプレイとプロセッサ組立体と上記要素内で少なくとも一つのサービスを変更する制御手段とを有する電話方式装置に関する。
【０００２】
本発明は、かかる電話方式装置に適した送受器及び基地局に関する。
本発明は、また、かかる電話方式装置で実行される方法に関する。
本発明の興味深いアプリケーションは、特に、例えば、ＤＥＣＴ規格を充たす電話方式装置の場合にプロトコルを意味する電気通信システムに見い出される。
【０００３】
【従来の技術】
ＤＥＣＴ規格に準拠すると、送受器を用いて基地局に命令を実行させることが可能になる。従来技術によれば、この動作は基地局によって実行されるべき種々のサービスをプログラムするトランスペアレントモードと称される。
【０００４】
【発明が解決しようとする課題】
送受器のキーボードでキーインされ、フェードし易い無線チャネルによって伝送された制御を用いて作業を行うので、要求された動作が適当に行われるかどうかは不確実である。
本発明は、送受器から基地局のより良好な制御を確保する上記タイプの電話方式装置の提供を目的とする。
【０００５】
【課題を解決するための手段】
従って、本発明の電話方式装置は、サービスを行う命令を上記の少なくとも１個の要素に伝送する伝送手段を更に有することを特徴とする。
本発明の考え方は、命令実行の単一の情報信号に応じて基地局がその命令を実行するように基地局のレベルで行われるべき仕事を予め確定することである。
【０００６】
本発明の上記及び他の面は、添付図面を参照した以下の詳細な説明から明らかになる。
【０００７】
【発明の実施の形態】
図１には、ＤＥＣＴ規格を充たす装置である電話方式装置が示されている。基地局（ＢＳ）１は、複数台の送受器ＨＳ１，ＨＳ２，．．．と無線で接続されている。基地局１は、電話線１２を介して基地局を交換網に接続させ得るライン回路１０と、アンテナ１６によって波を送受信することにより種々の送受器ＨＳ１，ＨＳ２，．．．との対話を許可する無線回路１４とにより構成される。基本回路内を通る全てのアナログタイプの情報信号を処理するため、特に、音声信号をディジタル信号に変換するため音声信号を処理するシグナルプロセッサＤＳＰにより形成された信号処理素子１５が設けられている。
【０００８】
この基地局１の全ての素子はマイクロプロセッサ組立体２０によって管理される。マイクロプロセッサ組立体２０は、ランダムアクセスメモリ２４と、装置の動作命令を格納する読み出し専用メモリ２６と、管理プロセッサ２９とにより通常の方法で形成される。
図１に詳細に示された送受器ＨＳ１は、送受器ＨＳ１が基地局ＢＳと通信し、他の送受器ＨＳ２，．．．と通信できるようにさせるアンテナ４１を含む通信組立体４０からなる。通信組立体４０は、マイクロホン４２から入来する情報信号を処理し、スピーカ４４のための信号を生成する。また、管理素子（マイクロプロセッサ組立体）２０と同様に、ランダムアクセスメモリ５４と、装置の動作命令を格納する読み出し専用メモリ５６と、管理プロセッサ５９とにより形成された管理素子５０が設けられている。送受器ＨＳ１は、種々の情報が表示されるディスプレイ６０と、キーボード６１とを含む。送受器は携帯型であるので、図１に示されていないバッテリによって電力が供給されている。ディスプレイ６０上には、ユーザがキーボード６１のキーを用いて表示させるメニューが現れる。ユーザはキーを作動することによりメニューの中の項目を有効にすることができる。
【０００９】
【実施例】
本発明を使用することができる興味深いアプリケーションは、メニューを言葉で表す言語の変更である。これらのメニューは送受器から発してもよく、基地局から発してもよい。
以下、図２を参照して本発明によるこの動作を説明する。ユーザは送受器側でこの動作に関係するメニューを作動する（ステップ１）。次の動作は、基地局ＢＳ側で言語の変更を行うことである。このため、ＤＥＣＴ規格：パラグラフ９．３  ＥＴＳ３００  １７５−５に記載されているように、手続｛CC-SETUP｝を開始することによりリンクを確立する（ステップ２）。この手続によって、基地局側で作業が行われるべきことを示す情報信号“アルファ”が追加される。
【００１０】
この｛CC-SETUP｝を受ける基地局は、メッセージを検査し（ステップ１０）、受信承認信号｛CC-SETUP-ACK｝を返送する。次に、基地局は情報“アルファ”に従って言語を変更する（ステップ１１）。
送受器はメッセージ｛CC-SETUP-ACK｝の到着をテストする。この情報が未到着の場合、ユーザは、言語の変更がおそらく適切に行われていないことが分かる。受信承認信号が受信された場合、言語の変更が送受器において最終的に行われる（ステップ１２）。従って、本発明によれば、実際上確実にタスクが適切に行われる。
【００１１】
以下の説明では、上記の処理を同一基地局ＢＳに接続された他の送受器の言語の変更に一般化する。図３に示された動作は、図２に示された動作と同じであり、同じ動作には同じステップ番号Ｓ１，Ｓ２，Ｓ１０，Ｓ１１及びＳ１２が使用されている。
次に、基地局は別の送受器２とのリンクを確立する（ステップ１４）。送受器２は受信承認信号を返送し（ステップ２０）、リンクを介して基地局から要求されたタスクを実行する（ステップ２１）。基地局は受信承認信号を解析する（ステップ３０）。この承認信号によって全てが正常であることが示されるならば、別の送受器との連絡を行ってもよい。正常ではない場合には、当該送受器に対する連絡は後の時点で試行し、次の送受器と連絡することができる。
【図面の簡単な説明】
【図１】本発明による電話方式装置である。
【図２】基地局のレベルでサービスを変更する電話方式装置の動作を説明する図である。
【図３】基地局のレベル及び少なくとも１台の送受器のレベルでサービスを変更する電話方式装置の動作を説明する図である。
【符号の説明】
１    基地局
１０    ライン回路
１２    電話線
１４    無線回路
１５    信号処理素子
１６    アンテナ
２０    マイクロプロセッサ組立体
２４，５４    ランダムアクセスメモリ
２６，５６    読み出し専用メモリ
２９    管理プロセッサ
４０    通信組立体
４１    アンテナ
４２    マイクロホン
４４    スピーカ
５０    管理素子
５９    管理プロセッサ
６０    ディスプレイ
６１    キーボード
ＢＳ    基地局
ＨＳ１，ＨＳ２，．．．    送受器
【図１】
0004162763.tif 000002
【図２】
0004162763.tif 000003
【図３】
0004162763.tif 000004